(57)【要約】蒸着マスク板（２００）、蒸着マスク板セット、蒸着システム及び位置合わせテスト方法が提供される。当該蒸着マスク板（２００）は、マスクパターン板（１）を含む。前記マスクパターン板（１）は、蒸着領域（４）と、前記蒸着領域（４）の周辺に位置するテスト領域（６）とを含む。前記テスト領域（６）は、少なくとも二組のテスト素子グループ（１０）が設置されており、前記二組のテスト素子グループ（１０）は前記テスト領域（６）の異なる領域に位置し、且つ前記テスト素子グループ（１０）の各々は少なくとも一つの位置合わせ用のテスト孔（１１）を含む。
2020522607.tif 000002
【特許請求の範囲】
【請求項１】
マスクパターン板を含む蒸着マスク板であって、
前記マスクパターン板は、蒸着領域と、前記蒸着領域の周辺に位置するテスト領域とを含み、
前記テスト領域は、少なくとも二組のテスト素子グループが設置されており、前記二組のテスト素子グループは前記テスト領域の異なる領域に位置し、且つ前記テスト素子グループの各々は少なくとも一つの位置合わせ用のテスト孔を含むことを特徴とする蒸着マスク板。
【請求項２】
異なる前記テスト素子グループにおける前記テスト孔の形状は異なることを特徴とする請求項１に記載の蒸着マスク板。
【請求項３】
前記テスト素子グループの各々は複数のテスト孔を含み、
同一の前記テスト素子グループにおける前記テスト孔の形状は同一であることを特徴とする請求項２に記載の蒸着マスク板。
【請求項４】
前記テスト素子グループの各々は複数のテスト孔を含み、
同一の前記テスト素子グループにおける前記テスト孔の形状は、矩形、円形又は三角形のうちいずれか一つであることを特徴とする請求項２に記載の蒸着マスク板。
【請求項５】
同一の前記テスト素子グループにおける前記テスト孔は前記蒸着領域の一側又は多側に設置されていることを特徴とする請求項３又は４に記載の蒸着マスク板。
【請求項６】
前記マスクパターン板は、把持領域と、ハーフエッチング領域と、貫通エッチング領域とを更に含み、
前記ハーフエッチング領域は、前記マスクパターン板を貫通していないエッチング領域であり、
前記貫通エッチング領域は前記マスクパターン板を貫通し、
前記ハーフエッチング領域に対して、前記貫通エッチング領域は前記マスクパターン板の中心領域に近接することを特徴とする請求項１に記載の蒸着マスク板。
【請求項７】
前記ハーフエッチング領域は第１形状を有し、前記貫通エッチング領域は第２形状を有し、前記第１形状は前記第２形状と異なることを特徴とする請求項６に記載の蒸着マスク板。
【請求項８】
前記第１形状は円形の一部であり、
前記第２形状は棒状であることを特徴とする請求項７に記載の蒸着マスク板。
【請求項９】
前記ハーフエッチング領域と前記貫通エッチング領域とは離隔して設置され、前記ハーフエッチング領域の面積は前記貫通エッチング領域の面積より大きいことを特徴とする請求項８に記載の蒸着マスク板。
【請求項１０】
フレームと、遮蔽棒とを更に含み、
前記遮蔽棒は前記フレームの内部に設置され、前記マスクパターン板は前記遮蔽棒及び前記フレームの上方に設置され、前記遮蔽棒は、前記マスクパターン板のただ一つの組の前記テスト素子グループにおける前記テスト孔が貫通孔状態にあるようにすることを特徴とする請求項１に記載の蒸着マスク板。
【請求項１１】
前記遮蔽棒は、貫通孔状態にある前記テスト孔に対応する領域に窓孔が開設されており、前記窓孔のサイズは前記テスト孔のサイズより大きいことを特徴とする請求項１０に記載の蒸着マスク板。
【請求項１２】
前記遮蔽棒は、貫通孔状態にある前記テスト孔に対応する領域に縁に対して内向きに窪んだ切り欠きが形成されており、前記切り欠きは、貫通孔状態にある前記テスト孔を露出させることを特徴とする請求項１０に記載の蒸着マスク板。
【請求項１３】
前記マスクパターン板は、それぞれ前記遮蔽棒及び前記フレームに溶接接続されることを特徴とする請求項１０乃至１２のいずれか一項に記載の蒸着マスク板。
【請求項１４】
前記マスクパターン板は、複数の蒸着領域と、複数のテスト領域とを含み、
前記複数の蒸着領域と前記複数のテスト領域とは前記マスクパターン板の長さ方向に沿って交互に設置されていることを特徴とする請求項１０に記載の蒸着マスク板。
【請求項１５】
同一の素子における同じ蒸着パターンを有する複数の膜層に対してそれぞれマスキングを行うための蒸着マスク板セットであって、
同じ蒸着パターンを有する複数の前記膜層の層数と同じ数の蒸着マスク板を含み、前記蒸着マスク板は、請求項１乃至１４のいずれか一項に記載の蒸着マスク板であることを特徴とする蒸着マスク板セット。
【請求項１６】
前記蒸着マスク板の各々に少なくとも同じ蒸着パターンを有する複数の前記膜層の層数と同じ数の前記テスト素子グループが設置されていることを特徴とする請求項１５に記載の蒸着マスク板セット。
【請求項１７】
前記蒸着マスク板の中で複数の前記膜層のうち第Ｎ膜層に対応する第Ｎ蒸着マスク板において、前記第Ｎ膜層に対応する前記テスト素子グループにおける前記テスト孔のみが貫通孔状態にあり、Ｎは１以上であり且つ前記複数の膜層の層数以下であることを特徴とする請求項１５に記載の蒸着マスク板セット。
【請求項１８】
蒸着システムであって、
請求項１５乃至１１のいずれか一項に記載の蒸着マスク板セットを含むことを特徴とする蒸着システム。
【請求項１９】
チャンバーを更に含み、
前記蒸着マスク板セットは前記チャンバー内に設置されていることを特徴とする請求項１８に記載の蒸着システム。
【請求項２０】
蒸着マスク板セットを採用して同一の素子における同じ蒸着パターンを有する複数の膜層に対して位置合わせテストを行う位置合わせテスト方法であって、
前記蒸着マスク板セットは、同じ蒸着パターンを有する複数の前記膜層の層数と同じ数の蒸着マスク板を含み、
各々の蒸着マスク板はマスクパターン板を含み、
前記マスクパターン板は、蒸着領域と、前記蒸着領域の周辺に位置するテスト領域とを含み、
前記テスト領域に同じ蒸着パターンを有する複数の前記膜層の層数と同じ数のテスト素子グループが設置されており、前記テスト素子グループは前記テスト領域の異なる領域に位置し、且つ前記テスト素子グループの各々は少なくとも一つの位置合わせ用のテスト孔を含み、
前記位置合わせテスト方法は、
前記蒸着マスク板の中で複数の前記膜層のうち第Ｎ膜層に対応する第Ｎ蒸着マスク板を利用して前記第Ｎ膜層に対して位置合わせテストを行う時、前記第Ｎ蒸着マスク板における前記テスト素子グループのうち前記第Ｎ膜層に対応する前記テスト素子グループにおける前記テスト孔を除外した前記テスト孔を遮蔽し、Ｎは１以上であり且つ前記複数の膜層の層数以下であるステップと、
前記第Ｎ蒸着マスク板における前記第Ｎ膜層に対応する前記テスト素子グループにおける前記テスト孔を利用して前記第Ｎ膜層に対して位置合わせテストを行うステップと
を含むことを特徴とする位置合わせテスト方法。
【発明の詳細な説明】
【技術分野】
【０００１】
関連出願の相互参照
本出願は、２０１７年６月５日に中国特許庁に提出された中国特許出願第２０１７１０４１４３１５．４号の優先権を主張し、その全ての内容が援用により本出願に取り込まれる。
【０００２】
本開示は、表示技術に関し、具体的には、蒸着マスク板、蒸着マスク板セット、蒸着システム及び位置合わせテスト方法に関する。
【背景技術】
【０００３】
ＯＬＥＤ（Ｏｒｇａｎｉｃ  Ｌｉｇｈｔ−Ｅｍｉｔｔｉｎｇ  Ｄｉｏｄｅ）有機発光ダイオードは、ますます広く用いられている表示素子であって、電子と正孔の再結合により励起子を形成して光出射を発生させ、駆動電流の大きさを調整することによって異なる発光輝度を得ることができる。このような発光方式は、構造が簡単で、自己発光可能で、バックライトを必要とせず、表示素子が軽薄で、応答時間が短く、速度が速く、１８０°に近い広視野角範囲を有し、消費電力が低く、コントラストが高く、温度に対する適応性が良いといった顕著な利点を有する。
【０００４】
現在、ＯＬＥＤ素子の主な製造方法は真空熱蒸着法であり、真空熱蒸着法の製造工程は複雑性が適度で、製造されたＯＬＥＤ素子の寿命が長いため、広く適用されている。当該製造方法において、ＦＭＭ（Ｆｉｎｅ  Ｍｅｔａｌ  Ｍａｓｋ、微細メタルマスク板）は、有機発光材料が設計位置に精密に蒸着されるように確保する肝心な構造であり、ＦＭＭは表示領域に対応する開口を含み、蒸着過程において、加熱蒸発された有機材料分子はＦＭＭにおける開口を貫いて裏板の画素定義層（Ｐｉｘｅｌ  Ｄｅｆｉｎｅ  Ｌａｙｅｒ、ＰＤＬと略称）の開口の箇所に堆積され、これにより、所定のパターンを形成する。
【０００５】
ＦＭＭは、構造が微細で、開口のサイズが僅か数十マイクロメートルであるため、ＴＥＧ（Ｔｅｓｔ  Ｅｌｅｍｅｎｔ  Ｇｒｏｕｐ、テスト素子グループ）を利用して蒸着パターンに対して精密なテスト位置合わせを行うことによって、位置合わせ不良による混色不良を根絶して、最終的な表示効果を確保すべきである。関連技術において、層毎の蒸着パターンは、通常、一つのマスク板に対応し、マスク板に画素位置位置合わせテスト素子グループ（Ｐｉｘｅｌ  Ｐｏｓｉｔｉｏｎ  Ａｌｉｇｎ  ＴＥＧ、ＰＰＡ  ＴＥＧと略称）が設置されている。ＦＭＭの金型製作及び加工コストが比較的に高いため、その結果、工程コストが比較的に高くなる。
【０００６】
こういったことから分かるように、どのように画素位置位置合わせによるマスク板資源の浪費を解消するかが、現在早急に解決しなければならない技術課題となっている。
【発明の概要】
【０００７】
本開示の実施例は、マスクパターン板を含む蒸着マスク板を提供する。前記蒸着マスクパターン板は、蒸着領域と、前記蒸着領域の周辺に位置するテスト領域とを含み、前記テスト領域は、少なくとも二組のテスト素子グループが設置されており、前記二組のテスト素子グループは前記テスト領域の異なる領域に位置し、且つ前記テスト素子グループの各々は少なくとも一つの位置合わせ用のテスト孔を含む。
【０００８】
異なる前記テスト素子グループにおける前記テスト孔の形状は異なる。
【０００９】
前記テスト素子グループの各々は複数のテスト孔を含み、同一の前記テスト素子グループにおける前記テスト孔の形状は同一である。
【００１０】
前記テスト素子グループの各々は複数のテスト孔を含み、同一の前記テスト素子グループにおける前記テスト孔の形状は、矩形、円形又は三角形のうちいずれか一つである。
【００１１】
同一の前記テスト素子グループにおける前記テスト孔は前記蒸着領域の一側又は多側に設置されている。
【００１２】
前記マスクパターン板は、把持領域と、ハーフエッチング領域と、貫通エッチング領域とを更に含み、前記ハーフエッチング領域は、前記マスクパターン板を貫通していないエッチング領域であり、前記貫通エッチング領域は前記マスクパターン板を貫通し、前記ハーフエッチング領域に対して、前記貫通エッチング領域は前記マスクパターン板の中心領域に近接する。
【００１３】
前記ハーフエッチング領域は第１形状を有し、前記貫通エッチング領域は第２形状を有し、前記第１形状は前記第２形状と異なる。
【００１４】
前記第１形状は円形の一部であり、前記第２形状は棒状である。
【００１５】
前記ハーフエッチング領域と前記貫通エッチング領域とは離隔して設置され、前記ハーフエッチング領域の面積は前記貫通エッチング領域の面積より大きい。
【００１６】
前記蒸着マスク板は、フレームと、遮蔽棒とを更に含む。前記遮蔽棒は前記フレームの内部に設置され、前記マスクパターン板は前記遮蔽棒及び前記フレームの上方に設置され、前記遮蔽棒は、前記マスクパターン板のただ一つの組の前記テスト素子グループにおける前記テスト孔が貫通孔状態にあるようにする。
【００１７】
前記遮蔽棒は、貫通孔状態にある前記テスト孔に対応する領域に窓孔が開設されており、前記窓孔のサイズは前記テスト孔のサイズより大きい。
【００１８】
前記遮蔽棒は、貫通孔状態にある前記テスト孔に対応する領域に縁に対して内向きに窪んだ切り欠きが形成されており、前記切り欠きは、貫通孔状態にある前記テスト孔を露出させる。
【００１９】
前記マスクパターン板は、それぞれ前記遮蔽棒及び前記フレームに溶接接続される。
【００２０】
前記マスクパターン板は、複数の蒸着領域と、複数のテスト領域とを含み、前記複数の蒸着領域と前記複数のテスト領域とは前記マスクパターン板の長さ方向に沿って交互に設置されている。
【００２１】
本開示の実施例は、同一の素子における同じ蒸着パターンを有する複数の膜層に対してそれぞれマスキングを行うための蒸着マスク板セットを更に提供する。前記蒸着マスク板セットは、同じ蒸着パターンを有する複数の前記膜層の層数と同じ数の上記の蒸着マスク板を含む。
【００２２】
前記蒸着マスク板の各々に少なくとも同じ蒸着パターンを有する複数の前記膜層の層数と同じ数の前記テスト素子グループが設置されている。
【００２３】
前記蒸着マスク板の中で複数の前記膜層のうち第Ｎ膜層に対応する第Ｎ蒸着マスク板において、前記第Ｎ膜層に対応する前記テスト素子グループにおける前記テスト孔のみが貫通孔状態にあり、Ｎは１以上であり且つ前記複数の膜層の層数以下である。
【００２４】
本開示の実施例は、上記の蒸着マスク板セットを含む蒸着システムを更に提供する。
【００２５】
前記蒸着システムは、チャンバーを更に含み、前記蒸着マスク板セットは前記チャンバー内に設置されている。
【００２６】
本開示の実施例は、蒸着マスク板セットを採用して同一の素子における同じ蒸着パターンを有する複数の膜層に対して位置合わせテストを行う位置合わせテスト方法を更に提供する。前記蒸着マスク板セットは、同じ蒸着パターンを有する複数の前記膜層の層数と同じ数の蒸着マスク板を含み、各々の蒸着マスク板はマスクパターン板を含み、前記マスクパターン板は、蒸着領域と、前記蒸着領域の周辺に位置するテスト領域とを含み、前記テスト領域に同じ蒸着パターンを有する複数の前記膜層の層数と同じ数のテスト素子グループが設置されており、前記テスト素子グループは前記テスト領域の異なる領域に位置し、且つ前記テスト素子グループの各々は少なくとも一つの位置合わせ用のテスト孔を含む。前記位置合わせテスト方法は、前記蒸着マスク板の中で複数の前記膜層のうち第Ｎ膜層に対応する第Ｎ蒸着マスク板を利用して前記第Ｎ膜層に対して位置合わせテストを行う時、前記第Ｎ蒸着マスク板における前記テスト素子グループのうち前記第Ｎ膜層に対応する前記テスト素子グループにおける前記テスト孔を除外した前記テスト孔を遮蔽し、Ｎは１以上であり且つ前記複数の膜層の層数以下であるステップと、前記第Ｎ蒸着マスク板における前記第Ｎ膜層に対応する前記テスト素子グループにおける前記テスト孔を利用して前記第Ｎ膜層に対して位置合わせテストを行うステップとを含む。
【図面の簡単な説明】
【００２７】
【図１ａ】本開示の一実施例に係る蒸着マスク板の構造模式図である。
【図１ｂ】本開示の一実施例に係る蒸着システムの構造模式図である。
【図１ｃ】本開示の一実施例に係る図１に示す蒸着マスク板に使用可能なマスクパターン板の構造模式図である。
【図２】図１ｃにおけるマスクパターン板の局部を拡大した模式図である。
【図３】本開示の一実施例に係る図１に示す蒸着マスク板に使用可能な開孔型遮蔽棒の構造模式図である。
【図４】本開示の一実施例に係る図１に示す蒸着マスク板に使用可能な延長型遮蔽棒の構造模式図である。
【発明を実施するための形態】
【００２８】
当業者が本開示の技術方案をより良く理解するように、以下では、添付図面及び具体的な実施形態と併せて本開示の実施例に係る蒸着マスク板、蒸着マスク板セット、蒸着システム及びテスト方法をより詳細に説明することにする。
【００２９】
本開示の技術的思想は下記のとおりである。即ち、関連技術に存在するＯＬＥＤ等の素子で同じパターンを有する複数の膜層を蒸着する時使用される複数の蒸着マスク板において、複数の蒸着マスク板の位置合わせテストマークが異なることによって複数の蒸着マスク板の構造が異なり、さらにマスク板に対して多数回金型を製作せざるを得なくなり、多数回マスク板に対して金型を製作するのはコストの増加又は蒸着基板（ｋｅｙ  ｇｌａｓｓ）の資源浪費の状況をもたらすという問題点に対して、本開示の実施例は、蒸着マスク板において開口パターンが同じパターンを有する複数の膜層のパターンと同一である蒸着領域を保持し、蒸着領域の周辺に異なる膜層に対応する複数組のテスト孔を設置することによって、金型製作コストを削減し、さらに工程コストを削減する。
【００３０】
本開示の実施例は、蒸着マスク板及び相応する蒸着マスク板セットを提供する。当該蒸着マスク板は、選択可能な複数組のテスト素子グループを設置し、複数組のテスト素子グループにおけるテスト孔の使用を切り換えることで、単一回のマスク板の金型製作により製造された蒸着マスク板を同じパターンを有する複数の膜層における各々の層の蒸着に適用可能にし、蒸着マスク板の金型製作及び加工コストを大幅に削減し、工程コストを削減する。
【００３１】
図１ａは、本開示の一実施例に係る蒸着マスク板の構造模式図である。図１ｂは、本開示の一実施例に係る蒸着システムの構造模式図である。図１ａに示す蒸着マスク板２００は、高精度メタルマスク板（ＦＭＭ）であって良い。図１ａ及び図１ｂに示すように、蒸着マスク板２００は、フレーム２１０と、遮蔽棒２３０（図１ａにおいて点線で表示される）と、マスクパターン板１とを含む。
【００３２】
フレーム２１０は、チャンバー３００と固定するために用いられる。遮蔽棒２３０はフレーム２１０の内部に設置され、遮蔽棒２３０の上表面２３２とフレーム２１０の上表面２１２とは揃っている。マスクパターン板１は、遮蔽棒２３０及びフレーム２１０の上方に設置されている。一実施例において、マスクパターン板１は、それぞれ遮蔽棒２３０及びフレーム２１０に溶接接続されて良い。溶接方式により蒸着マスク板２００における各部材を固定接続させ、蒸着が変形しないことを確保し、これにより、蒸着パターンの正しさ及び正確性を確保する。
【００３３】
図１ｃは、本開示の一実施例に係る図１ａに示す蒸着マスク板２００に使用可能なマスクパターン板の構造模式図である。図１ｃに示すように、マスクパターン板１は、蒸着領域４と、蒸着領域４の周辺に位置するテスト領域６とを含む。テスト領域６に少なくとも二組のテスト素子グループ１０が設置されている。各々のテスト素子グループ１０は少なくとも一つのテスト孔１１を含む。
【００３４】
一実施例において、図１ｃに示すように、上記の蒸着領域４及びテスト領域６の基礎の上に、当該マスクパターン板１は、把持領域２と、ハーフエッチング領域３と、貫通エッチング領域５とを更に含む。
【００３５】
把持領域２は、マスクパターン板１をフレーム２１０に溶接するように、設備が掴み取るために用いられる。
【００３６】
蒸着領域４に開口が開設されている。蒸着マスク板２００を使用して蒸着を行う過程において、ターゲット材料は蒸着領域４の開口を貫いて裏板パターン領域に到達できる。説明すべきことは、蒸着領域４における開口の形状は実際の需要によって設計されて良く、本開示はこれに対して限定しないことにする。
【００３７】
ハーフエッチング領域３は、エッチング方式によりマスクパターン板１に形成され且つマスクパターン板１を貫通していないエッチング領域である。ハーフエッチング領域３は、例えば、略半円形又は円形の一部をなす形状のような第１形状であって良い。
【００３８】
貫通エッチング領域５は、エッチング方式によりマスクパターン板１を貫通するエッチング領域である。貫通エッチング領域５は、例えば、棒状のような第２形状を有して良い。貫通エッチング領域５とハーフエッチング領域３とは形状の異なるエッチング領域であり、且つ、マスク板の応力変形を平衡させるように、異なるエッチング度合いを有する。
【００３９】
選択的に、図１ｃが示すように、隣接設置されたハーフエッチング領域３及び貫通エッチング領域５において、マスク板２００の応力変形をより良く平衡させるように、ハーフエッチング領域３に対して、貫通エッチング領域５はマスクパターン板１の中心領域に近接している。また、隣接設置されたハーフエッチング領域３及び貫通エッチング領域５において、ハーフエッチング領域３と貫通エッチング領域５とは離隔して設置され、且つ、さらに蒸着マスク板２００の応力変形を平衡させるように、ハーフエッチング領域３の面積は貫通エッチング領域５の面積より大きくて良い。
【００４０】
テスト領域６におけるテスト素子グループ１０は膜層の位置合わせテストを行うために用いられる。例えば、蒸着マスク板２００を利用して蒸着を行う時、加熱蒸発された有機材料分子はマスクパターン板１における蒸着領域４の開口を貫いて、裏板の画素定義層（Ｐｉｘｅｌ  Ｄｅｆｉｎｅ  Ｌａｙｅｒ、ＰＤＬと略称）の開口の箇所に堆積される。テスト領域６に設置された複数組のテスト素子グループ１０は、位置テストマークを形成して、マスクパターン板１を利用して蒸着形成された蒸着パターンに対して精密テスト位置合わせを行うために用いる。蒸着パターンの正しさ及び正確性を確保するように、各々の蒸着パターンはいずれも一組のテスト素子グループ１０に対応する。
【００４１】
図２は、図１ｃにおけるマスクパターン板の局部を拡大した模式図である。図２に示す実施例において、マスクパターン板１は二組のテスト素子グループ、即ち、第１テスト素子グループ１０１と、第２テスト素子グループ１０２とを含んで良い。第１テスト素子グループ１０１における第１テスト孔１１１の形状はいずれも同一である。第２テスト素子グループ１０２における第２テスト孔１１２の形状はいずれも同一である。第１テスト孔１１１の形状は、第２テスト孔１１２の形状と異なる。言い換えれば、同一のテスト素子グループ１０におけるテスト孔１１の形状は同一であるが、異なるテスト素子グループ１０におけるテスト孔１１の形状は異なる。また、複数組のテスト素子グループ１０において、テスト孔１１の間の間隔は同一でも異なっていても良く、均一に分布させるか否かについても限定せず、いずれも実際製品に基づいて具体的に確定して良い。
【００４２】
選択的に、同一のテスト素子グループ１０におけるテスト孔１１の形状は、異なるテスト素子グループ１０におけるテスト孔１１と区別されるように、矩形、円形又は三角形のうちいずれか一つである。なお、工程人員の作業効率を向上させるように、同一のテスト素子グループ１０におけるテスト孔１１の形状は、矩形、円形、三角形等を含むが、これらに限定されない。図２に示す実施例において、第１テスト孔１１１の形状は円形であり、第２テスト孔１１２の形状は矩形である。工程人員及びテスト設備の認識に便利でありさえすれば、同一のテスト素子グループ１０におけるテスト孔１１の形状に対して限定しないことにする。
【００４３】
本開示の実施例の蒸着マスク板は、テスト素子グループにおけるテスト孔の設置位置に対しても限定しない。選択的に、同一のテスト素子グループ１０におけるテスト孔１１は蒸着領域４に対する一側又は多側のテスト領域６に設置され、実際工程過程において工程人員が選んでテストするのに便利である。
【００４４】
選択的に、複数の位置で位置合わせテストを行ってテストの精度を確保するように、同一のテスト素子グループ１０において一側のテスト領域６に少なくとも一つのテスト孔１１が開設されている。異なるテスト素子グループ１０におけるテスト孔１１も蒸着領域４の上側、下側、左側又は右側の少なくともの一側又は多側に個別に又は混合されて配置され、各側のテスト孔１１の数は１、２、３…であって良く、特に限定されない。
【００４５】
実際応用において、図１ｂに示すように、蒸着マスク板２００は、通常、チャンバー３００内に固定され、蒸着マスク板２００の下方にターゲット材料４００が設置されており、蒸着すべき裏板５００は蒸着マスク板２００の上方に設置され、チャンバー３００内の適当な工程条件を設定することで、ターゲット材料４００材料が蒸着マスク板２００における蒸着領域４を介して裏板５００における所定の位置に蒸着されることを確保する。
【００４６】
図３は、本開示の一実施例に係る図１に示す蒸着マスク板２００に使用可能な開孔型遮蔽棒１２aの構造模式図である。図４は、本開示の一実施例に係る図１に示す蒸着マスク板に使用可能な延長型遮蔽棒１２ｂの構造模式図である。図３、図４及び図１ａを参照すると、遮蔽棒１２a／１２ｂはフレーム２１０の内部に設置され、マスクパターン板１は遮蔽棒１２a／１２ｂ及びフレーム２１０の上方に設置されて良い。また、遮蔽棒１２a／１２ｂは、マスクパターン板１に対してより良い支持を行うために用いられることができるとともに、マスクパターン板１おける異なる組のテスト孔１１に対して選択的な遮蔽又は露出を行うことができ、マスクパターン板１の単一かつ唯一の組のテスト素子グループ１０におけるテスト孔１１が貫通孔状態にあるようにする。
【００４７】
図３に示すように、遮蔽棒１２aがテスト孔１１の遮蔽を実現する方式は下記のとおりである。即ち、遮蔽棒１２aは、同一のテスト素子グループ１０のテスト孔１１に対応する領域に窓孔１２１が開設されており、窓孔１２１の開孔サイズはテスト孔１１のサイズより大きい。図３に示す開孔型遮蔽棒１２aの実質は、使用された第２テスト素子グループ１０２の第２テスト孔１１２は窓孔１２１を介して露出させ、使用されていない第１テスト素子グループ１０１の第１テスト孔１１は遮蔽棒１２ａにより遮蔽することである（遮蔽された第１テスト孔１１１を点線で示す）。
【００４８】
図４に示すように、遮蔽棒１２ｂがテスト孔１１の遮蔽を実現する方式は下記のとおりである。即ち、遮蔽棒１２ｂは、同一のテスト素子グループ１０のテスト孔１１に対応する領域に、縁１２４に対して内向きに窪んだ切り欠き１２２が形成され、切り欠き１２２は同一のテスト素子グループ１０のテスト孔１１を露出させる。図４に示す延長型の遮蔽棒１２ｂの実質は、使用されていない第１テスト素子グループ１０１の第１テスト孔１１１を遮蔽棒１２ｂにより遮蔽し（遮蔽された第１テスト孔１１１を点線で示す）、使用された第２テスト素子グループ１０２の第２テスト孔１１２は直接露出させることである。
【００４９】
フレーム２１０の内部は中空である。フレーム２１０は遮蔽棒２３０／１２a／１２ｂが設置された位置に対応する領域に遮蔽棒２３０／１２a／１２ｂの端部を収容可能な溝が開設されていて、遮蔽棒２３０／１２a／１２ｂがフレーム２１０の内部に設置される時、遮蔽棒２３０／１２a／１２ｂの上表面２３２とフレーム２１０の上表面２１２とが揃うようにする。選択的に、マスクパターン板１はそれぞれ遮蔽棒２３０／１２a／１２ｂ及びフレーム２１０に溶接接続される。溶接方式により蒸着マスク板２００における各部材を固定接続させ、蒸着が変形しないことを確保し、これにより、蒸着パターンの正しさ及び正確性を確保する。
【００５０】
図１ｃに示すマスクパターン板１は、一枚の大きいガラス母板における複数の子基板に対して蒸着を行い、これにより、工程効率を向上させる。蒸着過程においてテスト領域６に形成された位置テストマークに対しては、後続の基板切断過程で除去又は保持して良く、ここでは限定しないことにする。
【００５１】
また、図１ｃが示すように、マスクパターン板１が複数の蒸着領域４と、複数のテスト領域６とを含む場合、複数の蒸着領域４と複数のテスト領域６とは第１方向Ｄ１、例えば、マスクパターン板１の長さ方向に沿って交互に設置されて良い。
【００５２】
従って、本開示の実施例は、上記の蒸着マスク板に基づいた蒸着マスク板セットを更に提供する。前記蒸着マスク板セットは、同一の素子構造における同じ蒸着パターンを有する異なる膜層に対してそれぞれマスキングを行うために用いられる。当該蒸着マスク板セットは、同じ蒸着パターンを有する膜層の数量と同じ数の蒸着マスク板を含む。このように、同じパターンを有する複数の膜層を蒸着するための複数の蒸着マスク板において、複数の蒸着マスク板の蒸着領域は同じ蒸着パターンを有し、且つ複数の蒸着マスク板はテスト領域に同一な複数組のテスト孔が設置されるため、複数組のテスト素子グループにおけるテスト孔の使用を切り換えることで構造の同一な蒸着マスク板を同じ蒸着パターンを有する異なる膜層のうち各々の層の蒸着及び位置合せテストに適用できるため、金型を一回製作しさえすれば良く、金型製作コストを大幅に削減する。
【００５３】
選択的に、蒸着マスク板毎に少なくとも同じ蒸着パターンを有する膜層の層数と同じ組数のテスト素子グループが設置されている。当該マスク板セットに異なるマスクパターンの数量を設定して、異なる層のマスク板に区別して対応されるようにする。
【００５４】
使用過程において、対応する膜層を蒸着するための蒸着マスク板において、蒸着領域は同じ蒸着マスクパターンを有し、テスト領域のテスト素子グループの僅か対応する膜層のテスト孔のみが貫通孔状態にある。
【００５５】
以下、ＯＬＥＤ素子の蒸着に適用される蒸着マスク板を例として上記の蒸着マスク板及び蒸着マスク板セットを詳細に説明する。
【００５６】
当該例のＯＬＥＤ素子において、赤色（Ｒｅｄ）画素構造における発光層（Ｅｍｉｓｓｉｏｎ  Ｌａｙｅｒ、ＥＭＬと略称）と正孔輸送層（Ｈｏｌｅ  Ｔｒａｎｓｐｏｒｔ  Ｌａｙｅｒ、ＨＴＬと略称）とは同じ蒸着パターンを有し、緑色（Ｇｒｅｅｎ）画素構造における発光層と正孔輸送層とは同じ蒸着パターンを有し、赤色画素構造における上記の蒸着パターンと緑色画素構造の上記の蒸着パターンとは互いに異なる。このため、高精度メタルマスク板の設計において、赤色画素構造の発光層と正孔輸送層とは一つのマスク板セットを共有して蒸着を行い、当該マスク板セットは二枚の蒸着マスク板を含み、各々の蒸着マスク板にいずれも第１テスト素子グループ１０１と第２テスト素子グループ１０２とが設置されており、第１テスト素子グループ１０１は赤色発光層（Ｒ−ＥＭＬ）の位置の位置合わせテストに適用され、第２テスト素子グループ１０２は赤色正孔輸送層（Ｒ−ＨＴＬ）の位置の位置合わせテストに適用され、そのテスト素子グループ１０におけるテスト孔１１の形状は矩形、円形、三角形等であって良い。同じように、緑色画素構造の発光層と正孔輸送層とは一つのマスク板セットを共有し、当該マスク板セットは二枚の蒸着マスク板を含んで蒸着を行い、各々の蒸着マスク板にいずれも第１テスト素子グループ１０１と第２テスト素子グループ１０２とが設置されており、第１テスト素子グループ１０１は緑色発光層（Ｇ−ＥＭＬ）の位置の位置合わせテストに適用され、第２テスト素子グループ１０２は緑色正孔輸送層（Ｇ−ＨＴＬ）の位置の位置合わせテストに適用され、そのテスト素子グループ１０におけるテスト孔１１の形状は矩形、円形、三角形等であって良い。
【００５７】
第１テスト素子グループ１０１を使用する時、ターゲット材料が第２テスト素子グループ１０２における第２テスト孔１１２を介して裏板に蒸着されるのを回避するためには、第２テスト孔１１２を遮蔽棒１２a／１２ｂにより遮蔽すべきである。第２テスト素子グループ１０２を使用する時、第１テスト素子グループ１０１における第１テスト孔１１１を遮蔽棒１２a／１２ｂにより遮蔽すべきである。遮蔽棒１２a／１２ｂの方式は図３又は図４に模式的に示された任意の一種を採用して良く、マスク板の各部材を固定する時、柔軟に選択使用することができる。
【００５８】
また、本開示の実施例における蒸着マスク板は、例示されたＦＭＭ高精度メタルマスク板であって良いだけでなく、蒸着領域パターンが相対的に大きいｏｐｅｎ  ｍａｓｋ（オープン型マスク）であっても良く、ここでは限定しないことにする。
【００５９】
現在のＯＬＥＤ素子において、例えば、発光層ＥＭＬ又は正孔輸送層ＨＴＬのような一部のパターンは同一であるが、異なる色（例えば、赤色Ｒ、青色Ｂ又は緑色Ｇ）に対応して異なる有機材料を採用するか又は異なる厚さを設定すべきであるため、異なる層の蒸着工程においてＦＭＭを使用して蒸着を行って完成すべきであり、且つ、それぞれテスト素子グループを設置してテストを行って位置合わせすべきであり、その結果、ＦＭＭの金型製作設計を繰り返すことになり、例えば、同一のＯＬＥＤ素子におけるＲ−ＥＭＬ、Ｒ−ＨＴＬ、Ｇ−ＥＭＬ、Ｇ−ＨＴＬ、Ｂ―ＥＭＬに対応して五枚のマスク板及び一枚の蒸着基板を必要とする。然しながら、本開示の実施例に係る互換可能多用途蒸着マスク板及びその相応する蒸着マスク板セットを採用することで、上記の例に対して、ＯＬＥＤ表示素子における色の同一な異なる層の有機材料の蒸着の互換が可能であるため、三枚のマスク板を採用して金型製作及び加工を行いさえすれば良く、使用する時にも僅か一枚の蒸着基板だけで全体のＯＬＥＤ素子の各層の構造の製造及びテストを完成でき、工程コストを大幅に節約する。関連技術に比べ、本開示の実施例に係る互換可能多用途蒸着マスク板及びその相応する蒸着マスク板セットは、２セットのマスク板の金型製作費用を節約でき、工程コストを顕著に削減し、画素位置の位置合わせによるマスク板資源浪費の問題点を効果的に解決する。
【００６０】
本開示の一実施例は、蒸着システムを更に提供する。図１ｂに示すように、前記蒸着システムは、チャンバー３００と、チャンバー３００に設置された上記の蒸着マスク板セットとを含む。
【００６１】
当該蒸着システムにおいて、当該蒸着マスク板セットは同じ蒸着パターンを有し且つ選択的に使用可能な複数組のテスト孔が設置された複数の同一な蒸着マスク板を採用するため、蒸着工程コストを大幅に削減する。
【００６２】
理解できることは、上記の実施形態は単に本開示の原理を説明するために採用された例示的な実施形態であり、本開示はこれに限られない。本技術分野における通常の知識を有する者にとって、本開示の精神及び実質を逸脱しない前提で各種の変形及び改良を行うことができ、これらの変形及び改良も本開示の保護範囲内であるとみなされるべきである。
【図１ａ】
2020522607.tif 000003
【図１ｂ】
2020522607.tif 000004
【図１ｃ】
2020522607.tif 000005
【図２】
2020522607.tif 000006
【図３】
2020522607.tif 000007
【図４】
2020522607.tif 000008
【国際調査報告】
2020522607.tif 000009
2020522607.tif 000010
2020522607.tif 000011
2020522607.tif 000012
2020522607.tif 000013